(57)【要約】【課題】電飾効果を発揮する盤面部品の取付作業を簡単に行なえるようにして、生産ライン上における生産性の向上を可能とした弾球遊技機を提供する。【解決手段】遊技盤３または該遊技盤３に取着される盤面部品１３の前面に電飾効果を発揮するため複数の透光性カバー部材１９ａ，１９ｂを装着し、前記遊技盤３に前記各透光性カバー部材１９ａ，１９ｂに対応させてそれぞれ透孔２８ａ，２８ｂ，２８ｃを開設し、前記遊技盤３の裏面には集約台枠３２を配置し、前記集約台枠３２の前面に発光体３６を前面に備えると共に前記各透光性カバー部材１９ａ，１９ｂに対応して配置される複数の配線基板３７ａ，３７ｂを一括して設けて構成される。【選択図】  図３
2004283256.tif 000002
【特許請求の範囲】
【請求項１】
遊技盤または該遊技盤に取着される盤面部品の前面に電飾効果を発揮するため複数の透光性カバー部材を装着し、前記遊技盤に前記各透光性カバー部材にそれぞれ対応させて透孔を開設し、前記遊技盤の裏面には集約台枠を配置し、前記集約台枠の前面に、発光体を前面に備えると共に前記各透孔を介し前記各透光性カバー部材に対応して配置される複数の配線基板を一括して設けたことを特徴とする弾球遊技機。
【請求項２】
前記集約台枠が前記遊技盤の裏面に着脱自在に装着される請求項１記載の弾球遊技機。
【請求項３】
前記集約台枠に、前記各配線基板から引き出された配線を接続するための中継基板が配設される請求項１又は２記載の弾球遊技機。
【請求項４】
前記集約台枠に、前記遊技盤前面に設けられた入賞口と連通し該入賞口に入賞した弾球を前記弾球遊技機の外部へ排出するための球排出通路が成形される請求項１乃至３のうちいずれか一つに記載の弾球遊技機。
【請求項５】
前記球排出通路に、この中を通過する弾球を検出する球検出器が配設される請求項４記載の弾球遊技機。
【請求項６】
遊技盤に装着される可変表示装置を前側の飾り枠と後側の可変表示器とにより構成し、前記遊技盤前面に前記飾り枠が装着され、また、前記集約台枠に前記可変表示器が装着され、前記遊技盤の裏面に前記集約台枠を装着したとき、前記可変表示器の表示画面が前記飾り枠の表示窓に臨むようにした請求項１乃至５のうちいずれか一つに記載の弾球遊技機。
【発明の詳細な説明】
【０００１】
【発明の属する技術分野】
本発明は、生産ラインにおける生産性を向上するようにした弾球遊技機に関するものである。
【０００２】
【従来の技術】
一般に、弾球遊技機の一種であるパチンコ遊技機には、遊技盤面に文字、数字等の表示を変動表示させる可変表示装置、パチンコ球が入賞する入賞口、飾りとしての装飾装置といった所謂盤面部品が装着されるが、遊技の興趣を視覚的な面より盛り上げることから、前記盤面部品の前面に電飾効果を発揮させるため透光性カバー部材としてのレンズ部材が一体に組み込まれている。そして、これら透光性カバー部材の後側には該透光性カバー部材に対応して前面に発光体を備えた配線基板が配置されるようになっている。（例えば、特許文献１参照。）。
【０００３】
【特許文献１】
特開２００２−３５２２５号公報  （第４−７頁、図１、図２）
【０００４】
【発明が解決しようとする課題】
しかしながら、前記各配線基板には多数本の配線が接続されており、これら配線を中継基板に接続し、更に、中継基板から引き出される配線を制御基板に接続する必要がある。そこで、各装飾装置の配線基板から引き出される配線を逐一接続するという工程を生産ライン上に組み込むことは、その生産ライン上での作業が極めて煩雑になるばかりか多くの手間や時間を要することとなり、生産性を向上させる上で大きな障害になっているという課題があった。
【０００５】
そこで、本発明は上記課題を解決すべくなされたもので、電飾効果を発揮する盤面部品の取付作業を簡単に行なえるようにして、前記障害を払拭し生産ライン上における生産性の向上を可能とした弾球遊技機を提供することを目的とするものである。
【０００６】
【課題を解決するための手段】
かかる目的を達成するため、本発明に係る弾球遊技機は、遊技盤または該遊技盤に取着される盤面部品の前面に電飾効果を発揮するため複数の透光性カバー部材を装着し、前記遊技盤に前記各透光性カバー部材にそれぞれ対応させて透孔を開設し、前記遊技盤の裏面には集約台枠を配置し、前記集約台枠の前面に、発光体を前面に備えると共に前記各透孔を介し前記各透光性カバー部材に対応して配置される複数の配線基板を一括して設けた構成からなる。
【０００７】
このように、遊技盤の裏側に集約台枠を装着し、この集約台枠に各透光性カバー部材に対応する複数の配線基板を一括して設けるようにしたので、各配線基板から引き出される配線をあらかじめまとめて整理でき、これにより、生産ライン上では遊技盤の裏面に前記集約台枠を装着するのみで総ての配線基板が一度に取着できることとなって、その工程が簡素化される。
【０００８】
前記集約台枠は、遊技盤裏面に着脱自在に装着されることが好ましく、これにより例えば配線基板が故障したときは、遊技盤を取り外すことなく集約台枠のみを取り外してその修理または交換ができることとなり、作業が大掛かりにならず簡単に行なえる。
【０００９】
この際、前記集約台枠に、前記各配線基板から引き出された配線を接続するための中継基板が配設されることが好ましい。これにより、各配線基板から引き出される配線を一度に接続しておくことができる。
【００１０】
また、前記集約台枠に、前記遊技盤前面に設けられた入賞口と連通しかつ前記入賞口に入賞した弾球を前記弾球遊技機の外部へ排出するための球排出通路が成形されることが好ましい。また、前記球排出通路に、この中を通過する弾球を検出する球検出器が配設されることが好ましい。これにより、集約台枠の有効利用が図られる。
【００１１】
更に、遊技盤に装着される可変表示装置を前側の飾り枠と後側の可変表示器とにより構成し、前記遊技盤前面に前記飾り枠が装着され、また、前記集約台枠に前記可変表示器が装着され、前記遊技盤の裏面に前記集約台枠を装着したとき、前記可変表示器の表示画面が前記飾り枠の表示窓に臨むことが好ましい。このように、集約台枠に可変表示器を装着することにより、集約台枠の有効利用が図られるばかりでなく、例えば、前記可変表示器が故障した場合、可変表示器のみを交換し、可変表示装置全体を交換する必要がないので経済的である。
【００１２】
【発明の実施の形態】
以下、本発明に係る弾球遊技機の実施の形態を図面と共に説明する。なお、弾球遊技機には弾球遊技機、アレンジボール機、雀球遊技機があるが、本発明にあってはその一例であるパチンコ遊技機について説明する。図１は、本発明が適用されるパチンコ遊技機の正面図である。図において、１は縦長方形枠状に成形される木製の機枠であり、その前面に遊技盤３が配設される前面枠２が回動自在に装着される。更に、その前面枠２の前面に、機枠１の横幅と同じ寸法の横幅を有し前記遊技盤３の前面上部を覆う透明板保持枠４と、同寸法の横幅を有し遊技盤３の前面下部を覆う前面板５が回動自在に装着されている。
【００１３】
前記透明板保持枠４は、中央に前記遊技盤３の遊技部３ａが臨む窓開口６が開設され、該窓開口６が透明板であるガラス板７で塞がれている。また、前記前面板５の前面に打球発射部（図示せず。）へ弾球であるパチンコ球を供給するための打球供給皿８が装着される。前面枠２の下部前面には、中央に前記打球供給皿８から溢れるパチンコ球を貯留するための余剰球受皿９が装着され、その一側には打球の発射力を調節するための操作ハンドル１０が設けられている。
【００１４】
前記遊技盤３には、図２に示すように遊技部３ａを囲うようにしてその前面に内側ガイドレール１１と外側ガイドレール１２とが渦巻状に敷設される。この遊技部３ａには、その中央に盤面部品である可変表示装置１３が配置される。詳しくは、該可変表示装置１３は、前側に位置する飾り枠１４とその後側に配置される可変表示器１５とからなり、遊技盤３に開設された方形状の開口１６の周縁に、該周縁を囲うようにして飾り枠１４が装着されている。この飾り枠１４は、合成樹脂材により成形されると共に中央に可変表示器１５の表示画面１７が臨む表示窓１８が開設される。また、その両側中央部は電飾効果を発揮させるため半透明な透光性カバー部材１９ａ，１９ａが装着されている。この透光性カバー部材１９ａ，１９ａの後方は光を遮るものはない。
【００１５】
前記可変表示装置１３の下方にはパチンコ球が入賞することにより、可変表示装置１３における可変表示器１５の表示画面１７の表示を変動させる盤面部品としての始動入賞口２０が設けられる。この始動入賞口２０には、ソレノイド（図示せず。）により回動し、パチンコ球が入賞し難い起立またはパチンコ球が入賞し易い傾動位置に自在に変換可能な一対の可動翼片２１，２１が設けられている。更に、その下方に前記変動した表示が一定の時間経過後に停止して特定の表示（例えば「７７７」）を示し、遊技者にとって有利な特別遊技状態になったとき、一定の条件の下で開閉扉２２をソレノイド（図示せず。）により所定回数開成させ一度に多くの入賞球が得られるようにした盤面部品としての入賞装置２３が配設されている。
【００１６】
遊技部３ａの下部両側であって前記内側ガイドレール１１の内側に沿って、電飾効果を発揮するため盤面部品である正面略弧状の装飾装置２４，２４が装着されている。これら装飾装置２４，２４にも、その上部と下部に透光性カバー部材１９ｂ，１９ｂが装着されている。これら透光性カバー部材１９ｂ，１９ｂも半透明な合成樹脂材からなり、前板部２５ａの外周縁にこの外周縁を囲うようにして後方へ突出する側板部２５ｂが周設され、後面は開放されている。前記両透光性カバー部材１９ｂ，１９ｂ間の内側にパチンコ球が入賞する二個の入賞口２６，２６が上下に併設され、それら内部には前記各入賞口２６と連通し、該各入賞口２６に入賞したパチンコ球を遊技盤３の裏側へ導く球誘導樋２６ａが成形される。また、装飾部材２４の所定の位置に複数のビス挿通孔２７が設けられている。
【００１７】
一方、遊技盤３には、前記始動入賞口２０、入賞装置２３、装飾装置２４が装着される位置に所要形状の透孔２８ａ，２８ｂ，２８ｃがそれぞれ開設される。そして、遊技部３ａ両側の透孔２８ｃ，２８ｃにそれぞれ装飾装置２４を配置し、各ビス挿通孔２７を介して遊技盤３面にビス２９を螺締めすることにより各装飾装置２４が装着される。始動入賞口２０、入賞装置２３は同様にこれら後側が各透孔２８ａ，２８ｂに挿通されると共にビス止めして取り付けられる。前記飾り枠１４、始動入賞口２０、入賞装置２３は、それぞれ所定の部分を発光させたり、入賞したパチンコ球を電気的に検知したり、またはソレノイドを電気的に作動させることから、図３に示すように前記飾り枠１４等の裏側から束ねてしかも先端にコネクター３０を接続させた配線３１が引き出されている。
【００１８】
３２は遊技盤３の裏面に各透孔２８ａ，２８ｂ，２８ｃをすべて覆うようにして装着される集約台枠である。この集約台枠３２は、合成樹脂材により略横長方形状に成形され、本体平板部３２ａの中央上部に同じく方形状の窪み部３３が成形される。この窪み部３３の後側壁３３ａに前記表示窓１８に合致する通孔３４が開設されると共に該通孔３４に可変表示器１５の表示画面１７が臨むようになっている。また、窪み部３３下方の本体平板部３２ａに、前記入賞装置２３の後側を挿通させるための挿通孔３５が開設されている。そして、前記窪み部３３の後側壁３３ａの両側に、前記飾り枠１４の両側に設けられた透光性カバー部材１９ａに対応位置して、その前面に多くの発光体であるＬＥＤ３６を備えた配線基板３７ａが配置されている。また、前記本体平板部３２ａの前面両側と前記挿通孔３５の両側下方にも、それぞれ前記遊技盤３側の各透光性カバー部材１９ｂに対応位置して、前面に多くの発光体であるＬＥＤ３６を備えた配線基板３７ｂが配置されている。
【００１９】
前記通孔３４の両側方に前記各入賞口２５の球誘導樋２６ａと連通する球排出通路３８，３８が設けられている。各球排出通路３８は、仕切壁３９により区画されて左右に二条併設され、その流下端は合流すると共に外部と連なる排出口４０と連通している。また、この排出口４０には通過するパチンコ球を検出する球検出器４１が設けられている。前記通孔３４の下方にも、前記入賞装置２３に入賞したパチンコ球を外部へ排出するための球排出通路４２が設けられている。
【００２０】
集約台枠３２の裏側には、図４に示すように窪み部３３の後側壁３３ａの裏面に可変表示器１５が装着される。また、その下方に後面が開放した横長方形状の保持枠４３が配置され、この保持枠４３内に、前記各配線基板３７ａ，３７ｂから引き出される配線４４ａ，４４ｂ、または前記飾り枠１４、可変表示器１５、入賞装置２３から引き出される配線３１を接続する二枚の中継基板４６ａ，４６ｂが装着されている。これら中継基板４６ａ，４６ｂには、前記各配線３１，４４ａ，４４ｂの先端のコネクター３０，４５を接続するための複数のコネクター４７が設けられる。前記窪み部３３の両側壁３３ｂ外面と前記保持枠４３の両側壁４３ａ，４３ａの外面に、多くの配線４４ａ，４４ｂを途中で一箇所にまとめ束ねることができる配線集束部４８，４９が設けられている。
【００２１】
前記窪み部３３の両側外面の各配線集束部４８は、側壁３３ｂ外面から側方へ一体に突設される支持片部５０ａと、前方へ直角に折り曲がり先端と本体平板部３２ａの裏面との間に隙間を有する掛止片部５０ｂと、から平面鉤状に成形され、掛止片部５０ｂの先端と本体平板部３２ａとの間の隙間からその内側へ多くの配線４４ａ，４４ｂを引き入れて、これら配線４４ａ，４４ｂを束ねる。一方、前記保持枠４３の両側外面の各配線集束部４９は、上下の腕片５１が互いに対向してＣ型に成形され、両腕片５１，５１の両端間の隙間から両腕片５１，５１で囲まれる空間に多くの配線４４ａ，４４ｂを引き入れることによりこれら配線４４ａ，４４ｂが束ねられる。本体平板部３２ａの周縁には上下位置にそれぞれビス挿通孔５２が設けられ、これらビス挿通孔５２を介して遊技盤３の裏面にビス５３を螺締めすることにより集約台枠３２が取り付けられる。
【００２２】
そこで、遊技盤３を組み立てるには、遊技盤３の前面であって開口１６に飾り枠１４が装着され、中央上下の透孔２８ａ，２８ｂに始動入賞口２０、入賞装置２３がそれぞれ装着され、更に、両側の透孔２８ｃには装飾部材２４がそれぞれ装着される。これに対し、遊技盤３の裏面には集約台枠３２を装着することにより、図５に示すように各配線基板３７ａ，３７ｂが前記各透光性カバー部材１９ａ，１９ｂに対応して取り付けられ、図６、図７に示すように同時に球排出通路３８や可変表示器１５が装着されることになる。
【００２３】
このように、別途成形した集約台枠３２に各透光性カバー部材１９ａ，１９ｂに対応する複数の配線基板３７ａ，３７ｂを一括して設けるようにしたので、この集約台枠３２を遊技盤３の裏側に装着するのみですべての配線基板３７ａ，３７ｂが取着される。しかも、各配線基板３７ａ，３７ｂから引き出される配線４４ａ，４４ｂを中継基板４６ａ，４６ｂに接続しておくなどあらかじめまとめて整理でき、生産ライン上では遊技盤３の裏面に前記集約台枠３２を装着するのみで済み、その工程が簡素化されることになる。
【００２４】
本発明にあっては、集約台枠３２を遊技盤３の裏面にビス５３止めしたが、逆に、これらビス５３を取り外すことにより遊技盤３から集約台枠３２を取り外せる。よって、例えば、配線基板３７ａ，３７ｂに故障が生じたとき、本来なら前面枠２から遊技盤３を取り外すといった面倒で煩雑な作業を強いられていたが、この場合、遊技盤３を取り付けたまま、その集約台枠３２のみを外してその不良部品の交換や修理を行えばよく、作業が非常に簡単に行なえる。なお、前記集約台枠３２を着脱自在に設けるためには、ビス止めに限らず、例えば、遊技盤３裏面にその裏面内で自在に回動するフック部材を設け、これらフック部材を回動させ本体平板部３２ａの裏面に掛止するようにして押圧固定するようにしても良い。
【００２５】
また、前記集約台枠３２に、前記各配線基板３７ａ，３７ｂから引き出された配線４４ａ，４４ｂを接続するための中継基板４６ａ，４６ｂが配設されるので、これにより、各配線基板３７ａ，３７ｂから引き出される配線４４ａ，４４ｂを一度にまとめて接続しておくことができ、作業性が向上できる。
【００２６】
また、前記集約台枠３２に、前記遊技盤３前面に設けられた入賞口２６と連通しかつ前記入賞口２６に入賞したパチンコ球をパチンコ遊技機Ｐの外部へ排出するための球排出通路３８が成形され、また、前記球排出通路３８に、この中を通過するパチンコ球を検出する球検出器４１が配設されるので、これにより、集約台枠３２の有効利用が図られる。
【００２７】
なお、遊技盤３の前面に直接透光性カバー部材１９ａ，１９ｂが装着される場合も、前記と同様に集約台枠３２に配線基板３７ａ，３７ｂを設けて、その集約台枠３２を遊技盤３の裏面に装着するようにすれば良い。
【００２８】
【発明の効果】
以上説明したように、本発明に係る弾球遊技機は、遊技盤の裏側に集約台枠を装着し、この集約台枠に各透光性カバー部材に対応する複数の配線基板を一括して設けるようにしたので、これにより、各配線基板から引き出される配線をあらかじめまとめて整理でき、生産ライン上では遊技盤の裏面に前記集約台枠を装着するのみで総ての配線基板が一度に取着できてその工程が簡素化されることから、生産性が向上するという効果がある。
【００２９】
前記集約台枠を遊技盤の裏面に着脱自在に装着するようにすれば、配線基板に故障が生じたときも、遊技盤を取り付けたまま、その集合台枠のみを外してその不良部品の交換や修理を行えばよく、作業が非常に簡単に行なえる。
【００３０】
各配線基板から引き出される配線を中継基板に接続させるようにすれば、多くの配線基板等から引き出される配線が整然と配設でき、絡まって断線するといった事故もなく、作業性が向上する。
【００３１】
前記集約台枠に、前記遊技盤前面に設けられた入賞口と連通しかつ前記入賞口に入賞した弾球を前記弾球遊技機の外部へ排出するための球排出通路を成形し、また、前記球排出通路に、この中を通過する弾球を検出する球検出器を配設するようにすれば、集約台枠の有効利用が図られ至便である。
【００３２】
前記遊技盤の前面に飾り枠を装着し、また、前記集約台枠に前記飾り枠と連続する可変表示器を装着するようにすれば、仮に可変表示器が故障した場合、または、遊技盤のデザイン変更に伴い飾り枠も変更するような場合が生じても、いずれか一方を交換すれば良いから経済的であり、また、その交換作業も簡単である。
【図面の簡単な説明】
【図１】本発明に係るパチンコ遊技機の正面図。
【図２】装飾装置を分解して示す遊技盤の前から見た斜視図。
【図３】遊技盤の裏面から集約台枠を外した状態を示す斜視図。
【図４】集約台枠の裏面斜視図。
【図５】配線基板部位の側面断面図。
【図６】球排出通路部位の側面断面図。
【図７】可変表示器部位の側面断面図。
【符号の説明】
３                    遊技盤
１３                  可変表示装置
１４                  飾り枠
１５                  可変表示器
１８                  表示窓
１９ａ，１９ｂ        透光性カバー部材
２６                  入賞口
３２                  集約台枠
３６                  発光体（ＬＥＤ）
３７ａ，３７ｂ        配線基板
３８                  球排出通路
４１                  球検出器
４４ａ，４４ｂ        配線
４６ａ，４６ｂ        中継基板
Ｐ                    弾球遊技機
【図１】
2004283256.tif 000003
【図２】
2004283256.tif 000004
【図３】
2004283256.tif 000005
【図４】
2004283256.tif 000006
【図５】
2004283256.tif 000007
【図６】
2004283256.tif 000008
【図７】
2004283256.tif 000009